(57)【特許請求の範囲】
【請求項１】
バーナヘッド上に複数の炎孔を備えるバーナキャップが設けられ、該バーナキャップ上に保護キャップが取り付けられたガスバーナであって、
前記バーナキャップは、該バーナキャップの円周方向に所定間隔を存して上方に突出する複数の突起と、該バーナキャップの円周方向に沿って環状に形成され、その径方向に弾性を有して各突起に弾発的に保持された線バネとを備え、
前記突起は、バーナキャップの中央側を向く内側縁又はバーナキャップの外側を向く外側縁で開放し且つ該突起の突出方向に交差して凹入する形状の保持溝を備えて、該保持溝により前記線バネを保持し、
前記保護キャップは、前記バーナキャップを覆う覆板と、該覆板の下方に延設されて各突起に隣接する複数の足部と、該足部の下端部に連設されて前記保持溝の開放する方向に向かって突出し該保持溝に保持された前記線バネに掛止する掛止爪とを備え、
前記掛止爪は、前記突起に沿って下動したとき前記保持溝に保持された前記線バネをその弾性に抗して保持溝の奥端から開放端に向かって移動させるべく、下縁が基端から先端に向かって上方に傾斜する形状に形成されているものにおいて、
前記保持溝は、前記掛止爪の下縁に沿って移動する前記線バネが摺接する下部内縁が、該下部内縁の奥端から下方に向かって傾斜する傾斜縁部と、該傾斜縁部の下端から連続して水平に延びる水平縁部とにより構成されていることを特徴とするガスバーナ。
【請求項２】
前記保持溝は、その内部の上部内縁が、その奥端から開放端に向かって上方に傾斜することにより、前記線バネに掛止した状態における前記掛止爪の上縁から次第に離反する形状に形成されており、
前記線バネは、前記保持溝の奥端内縁から離間した位置において該保持溝の上部内縁と前記掛止爪の上縁とに接して、前記保護キャップの覆板を前記突起の頂部に圧接させることを特徴とする請求項１記載のガスバーナ。
【発明の詳細な説明】
【技術分野】
【０００１】
本発明は、ガスコンロに用いられるガスバーナに関する。
【背景技術】
【０００２】
ガスコンロに用いられるバーナは、調理の際にコンロ内部への異物や煮こぼれ等の侵入を防止するため、バーナキャップの上部を保護キャップによって覆うことが行われている。
【０００３】
従来、保護キャップを備えるガスバーナにおいては、バーナキャップの円周方向に所定間隔を存して上方に突出する複数の突起を設けてこの突起に環状の線バネを保持させ、保護キャップの下方に延びる足部に設けた掛止爪を線バネに掛止させることによって、保護キャップをバーナキャップに取り付けるものが知られている（下記特許文献１参照）。
【０００４】
従来の構成を採用すると、図６（ａ）に示すように、バーナキャップ２１の突起２２に形成された保持溝２３の奥端に線バネ２４が保持される。そして、保護キャップ２５の掛止爪２６を突起２２に隣接させて下動させると、図６（ｂ）に示すように、掛止爪２６の傾斜する下縁２６ａにより線バネ２４がその弾性に抗して押され、線バネ２４は保持溝２３の下部内縁２３ａの傾斜に沿って移動する。このとき、掛止爪２６の下縁２６ａの傾斜と保持溝２３の下部内縁２３ａの傾斜とによって、線バネ２４が下方に向かって円滑に移動させることができる。
【０００５】
続いて、更に掛止爪２６が下降すると、線バネ２４は、掛止爪２６の先端を乗り越え、更に弾発的に掛止爪２６の水平方向に延びる上縁２６ｂに沿って移動して、保持溝２３の奥端に戻る。これにより、図６（ｃ）に示すように、線バネ２４に掛止爪２６が掛止して、バーナキャップ２１への保護キャップ２５の取り付け状態が維持される。
【０００６】
これにより、バーナキャップ２１への保護キャップ２５の取り付けを容易とし、且つ、バーナキャップ２１からの保護キャップ２５の外れを確実に防止することができる。
【先行技術文献】
【特許文献】
【０００７】
【特許文献１】特開２００７−２９８２４８号公報
【発明の概要】
【発明が解決しようとする課題】
【０００８】
しかし、上記従来の構成を採用した場合、図７（ａ）に示すように、最下位置にあるときの掛止爪２６の先端における線バネ２４の乗り上げ開始点Ｐが、僅かであっても、線バネ２４の中心点Ｑよりも上方に位置していると、線バネ２４が掛止爪２６の先端を乗り越えずに当該位置に留まってしまう場合がある。そしてこの場合には、掛止爪２６が線バネ２４に掛止された状態にならず、バーナキャップ２１への保護キャップ２５の取り付け状態が得られない。
【０００９】
そこで、図７（ｂ）に示すように、足部２７の長さＬを増加させ、これによって掛止爪２６の先端における線バネ２４の乗り上げ開始点Ｐを、線バネ２４の中心点Ｑよりも下方に位置させることが考えられる。これによれば、掛止爪２６が最下位置に来れば、線バネ２４が掛止爪２６の先端を確実に乗り越える。しかし、足部２７の長さＬを増加させたために、掛止爪２６の上縁２６ｂと保持溝２３の上部内縁２３ｂとの間の間隔が広くなり、最下位置にある掛止爪２６の上縁２６ｂと線バネ２４との間に空隙Ｓが形成されてしまう。このため、バーナキャップ２１に取り付けた状態の保護キャップ２５にガタ付きが生じ、振動による騒音の発生や、保護キャップ２５と突起２２との間に異物が入り込むおそれがある。
【００１０】
また、それ以外に、掛止爪２６の下降時に線バネ２４による掛止爪２６の先端の乗り越えを円滑に行わせるためには、図７（ｃ）に示すように、掛止爪２６の上縁２６ｂをその全長にわたり傾斜する形状に形成することが考えられる。しかし、掛止爪２６の上縁２６ｂが傾斜していると、掛止爪２６の上動に伴って線バネ２４が上縁２６ｂの傾斜に案内され、線バネ２４への掛止爪２６の掛止が解除され易くなる。従って、掛止爪２６の上縁２６ｂによる線バネ２４への十分な掛止力が発揮できず、保護キャップ２５のガタ付きが生じたり、場合によってはバーナキャップから保護キャップが外れるおそれがある。
【００１１】
上記の点に鑑み、本発明は、保護キャップをガタ付きなく確実に取り付けることができるガスバーナを提供することを目的とする。
【課題を解決するための手段】
【００１２】
本発明は、バーナヘッド上に複数の炎孔を備えるバーナキャップが設けられ、該バーナキャップ上に保護キャップが取り付けられたガスバーナであって、前記バーナキャップは、該バーナキャップの円周方向に所定間隔を存して上方に突出する複数の突起と、該バーナキャップの円周方向に沿って環状に形成され、その径方向に弾性を有して各突起に弾発的に保持された線バネとを備え、前記突起は、バーナキャップの中央側を向く内側縁又はバーナキャップの外側を向く外側縁で開放し且つ該突起の突出方向に交差して凹入する形状の保持溝を備えて、該保持溝により前記線バネを保持し、前記保護キャップは、前記バーナキャップを覆う覆板と、該覆板の下方に延設されて各突起に隣接する複数の足部と、該足部の下端部に連設されて前記保持溝の開放する方向に向かって突出し該保持溝に保持された前記線バネに掛止する掛止爪とを備え、前記掛止爪は、前記突起に沿って下動したとき前記保持溝に保持された前記線バネをその弾性に抗して保持溝の奥端から開放端に向かって移動させるべく、下縁が基端から先端に向かって上方に傾斜する形状に形成されているものにおいて、前記保持溝は、前記掛止爪の下縁に沿って移動する前記線バネが摺接する下部内縁が、該下部内縁の奥端から下方に向かって傾斜する傾斜縁部と、該傾斜縁部の下端から連続して水平に延びる水平縁部とにより構成されていることを特徴とする。
【００１３】
本発明のガスバーナにおいて、バーナキャップ上に保護キャップを取り付けるときには、保護キャップの足部を、バーナキャップの突起に沿って押し下げる。
【００１４】
突起に沿って足部が下動すると、保持溝に保持されている線バネが掛止爪の傾斜する下縁に押され、保持溝の下部内縁の傾斜縁部に摺接しながら下方に円滑に移動する。更に掛止爪が下降すると、線バネが保持溝の下部内縁の水平縁部に沿って水平方向に案内される。
【００１５】
このとき、掛止爪の下動は、水平縁部に沿って保持溝の開放端に向かう線バネの移動により許容されるが、線バネは、これ以上下方への移動が規制される。一方、掛止爪の先端は、掛止爪の下動距離が比較的少ないうちに水平縁部に接近する。即ち、掛止爪の先端における線バネの乗り上げ開始点を線バネの中心点よりも難無く下方に位置させることができる。これにより、水平縁部により下方への移動が規制されていた線バネは、接近する掛止爪の先端を容易に乗り越える。
【００１６】
そして、線バネが掛止爪の先端を乗り越えると、線バネは復元弾性をもって保持溝の奥端方向に移動し、同時に掛止爪は保持溝の奥端の線バネに掛止した状態となる。これにより、線バネが掛止爪の先端を乗り越えずにバーナキャップへの保護キャップの取り付け状態が不十分となる、といった事態を確実に防止することができる。
【００１７】
しかも、掛止爪の下降距離が比較的少なくできることで、掛止爪の上縁と保持溝の上部内縁との間に形成される間隙を比較的狭くすることができ、この間隙に線バネが隙間なく嵌り込ませることができるので、バーナキャップに対する保護キャップのガタ付きを防止することができる。
【００１８】
また、本発明において、前記保持溝は、その内部の上部内縁が、奥端から開放端に向かって上方に傾斜することにより、前記線バネに掛止した状態における前記掛止爪の上縁から次第に離反する形状に形成されており、前記線バネは、前記保持溝の奥端内縁から離間した位置において該保持溝の上部内縁と前記掛止爪の上縁とに接して、前記保護キャップの覆板を前記突起の頂部に圧接させることが好ましい。
【００１９】
これによれば、前記保持溝の上部内縁と前記掛止爪の上縁とに接した線バネの弾性による付勢力が保持溝の上部内縁と掛止爪の上縁とを互いに離反させる方向に作用し、保護キャップの覆板が突起の頂部に圧接された状態を確実に維持できるので、バーナキャップに対する保護キャップのガタ付きを一層確実に防止することができる。
【図面の簡単な説明】
【００２０】
【図１】本発明の実施形態のガスバーナの構成の一部を示す説明的断面図。
【図２】本実施形態におけるバーナキャップの説明的斜視図。
【図３】本実施形態における保持溝を拡大して示す説明図。
【図４】本実施形態における保護キャップを下方より臨んで示す斜視図。
【図５】本実施形態における保護キャップの取り付け作業を示す説明図。
【図６】従来のガスバーナにおける保護キャップの取り付け作業を示す説明図。
【図７】従来のガスバーナにおける保護キャップの取り付け状態を示す説明図。
【発明を実施するための形態】
【００２１】
本実施形態のガスバーナ１は、図１に示すように、バーナボディ２と、バーナキャップ３と、保護キャップ４とを備えている。バーナボディ２は、ガス燃料と一次空気との混合ガスを形成する中空の混合部５と、該混合部５に連設されて混合部５からの混合ガスを分布させる環状空間を有するバーナヘッド６とを備えている。バーナヘッド６の上部にはバーナキャップ３が取り付けられており、バーナキャップ３の上部には保護キャップ４が取り付けられている。
【００２２】
バーナキャップ３は、図２に保護キャップ４を取り除いて示すように、円形に形成されており、その中央部を上下方向に貫通して開放する中央開放部７が形成されている。また、該バーナキャップ３は、周方向に複数配設された炎孔８を備えている。
【００２３】
また、図１及び図２に示すように、バーナキャップ３の周縁の一部には、外側に張り出す点火用ターゲット９が形成されている。点火用ターゲット９は、図１に示すように、バーナヘッド６の近傍に設けられた点火プラグ１０に臨み、点火プラグ１０との間で点火のための火花放電を形成する。
【００２４】
バーナキャップ３の上部には、図２に示すように、周方向に所定間隔を存してバーナキャップ３から上方に突出する複数（本実施形態では３つ）の第１突起１１が形成されている。各第１突起１１の一方側には、夫々の第１突起１１から所定の空隙を存し、各第１突起１１よりも低い高さに突出する第２突起１２が形成されている。そして、各第１突起１１により、縮径方向に弾性を有する円環状の線バネ１３が保持されている。
【００２５】
各第１突起１１には、図２に示すように、その外側縁で開放された保持溝１４が形成されている。各保持溝１４は、第１突起１１における外側縁で開放されて内側縁に向かって凹入する形状に形成されており、前記線バネ１３の一部を収容して保持する。なお、本実施形態においては３つの第１突起１１が設けられており、各第１突起１１に同一形状の保持溝１４が形成されているので、図２に示すように、線バネ１３は各第１突起１１によって３箇所で支持された状態となる。
【００２６】
また、保持溝１４が第１突起１１の外側縁で開放されていることにより、線バネ１３は第１突起１１の外側から保持溝１４内に装着される。そして、図２に示すように、保持溝１４に装着された線バネ１３は縮径方向に弾性を有することによって保持溝１４の奥端内縁１４ａに圧接し、その圧接状態を弾性によって維持して保持溝１４に保持されている。
【００２７】
保持溝１４は、図３に拡大して示すように、その上部内縁１４ｂが開放端側に向かって上方に傾斜して形成されている。また、保持溝１４の下部内縁１４ｃには、奥端から順に傾斜縁部１４ｄと水平縁部１４ｅとが形成されている。傾斜縁部１４ｄは奥端内縁１４ａに連続して水平縁部１４ｅに向かって下方に傾斜し、水平縁部１４ｅは傾斜縁部１４ｄに連続して水平に延びて開放端に至る。
【００２８】
線バネ１３は、図２に示すように、不連続の円環状、即ち略Ｃ字形状であり、前述したように縮径方向に弾性を有する。線バネ１３をバーナキャップ３の各第１突起１１に取り付けるときや、メンテナンス時に各第１突起１１から線バネ１３を取り外すときには、両端を拡開させることにより弾性力に抗して線バネ１３を容易に拡径できるようになっている。
【００２９】
保護キャップ４は、図１及び図４に示すように、バーナキャップ３の上方を覆う覆板１５と、覆板１５の下面に固定されて覆板１５の下方に延びる足部材１６（足部）とを備え、全体がほうろうにより被覆されている。なお、図中符号１７で示すものは、ほうろう被覆を施す際に保持するための作業用保持片である。
【００３０】
覆板１５は、図１に示すように、上面が平坦とされて中央部に開口部１８が形成されており、下面がバーナキャップ３の各第１突起１１の頂部に当接する。覆板１５の開口部１８は、バーナキャップ３の中央開放部７の直上に形成されて、中央開放部７の上部を開放しており、図示しない鍋底温度センサが貫通可能とされている。また、覆板１５には、外周縁の一部から外側に張り出す舌状突片１９が形成されている。舌状突片１９は、図１に示すように、点火用ターゲット９及び点火プラグ１０の上方を覆う。
【００３１】
足部材１６は、図４に示すように、覆板１５の周縁に一体に連設されており、覆板１５の周縁の所定範囲が折り返し成形される際に覆板１５の下面に配置される。足部材１６の下端部には掛止爪２０が連設されている。掛止爪２０は、足部材１６の下端部から外方に向かって突出し、この突出方向は、図１に示すように、保持溝１４の開放する方向に合致している。なお、足部材１６は、覆板１５とは別体に形成して覆板１５の下面にスポット溶接により連結固定してもよい。
【００３２】
掛止爪２０は、図５（ａ）に示すように、その下縁２０ａが基端２０ｂから先端２０ｃに向かって上方に傾斜する形状とされている。また、掛止爪２０の上縁２０ｄは、略水平とされている。
【００３３】
次に、保護キャップ４をバーナキャップ３に取り付ける際の掛止爪２０及び線バネ１３の作動を説明する。保護キャップ４の覆板１５を介して足部材１６を第１突起１１と第２突起１２との間に挿入させる、図５（ａ）に示すように、保持溝１４に保持された線バネ１３に掛止爪２０の下縁２０ａが当接する。
【００３４】
足部材１６を更に下降させると、図５（ｂ）に示すように、保持溝１４に保持されている線バネ１３は、掛止爪２０の傾斜する下縁２０ａによって押し下げられると共に、保持溝１４の下部内縁１４ｃの傾斜縁部１４ｄに沿って移動しつつ弾性をもって拡径する。
【００３５】
更に、線バネ１３は、傾斜縁部１４ｄを通過して水平縁部１４ｅに当接すると、これ以上の下降が規制されると共に、水平縁部１４ｅにより水平方向外側に案内され、、掛止爪２０の傾斜する下縁２０ａによって水平方向に押し広げられる。
【００３６】
そして、図５（ｃ）に示すように、線バネ１３は、弾発的に掛止爪２０の先端２０ｃを乗り越え、掛止爪２０の上縁２０ｄに沿って保持溝１４の奥端内縁１４ａに向かって移動する。このとき、保持溝１４に水平縁部１４ｅが形成されていることにより、例えば足部材１６の長さを増加させることなく、掛止爪２０の先端２０ｃにおける線バネ１３の乗り上げ開始点Ｐを、線バネ１３の中心点Ｑよりも下方に位置させることができるので、掛止爪２０が最下位置に来れば線バネ１３が掛止爪２０の先端２０ｃを確実に乗り越える。従って、掛止爪２０の線バネ１３への掛止が円滑に行われ、保護キャップ４を、その押し下げによりバーナキャップ３に確実に取り付けることができる。
【００３７】
更に、掛止爪２０の上縁２０ｄに沿って保持溝１４の奥端内縁１４ａに向かって移動した線バネ１３は、保持溝１４の奥端内縁１４ａから僅かに離間した位置で、保持溝１４の上部内縁１４ｂと掛止爪２０の上縁２０ｄとの間に挟み込まれた状態となる。
【００３８】
線バネ１３は、少なくとも保持溝１４の奥端内縁１４ａに当接するまでは弾性により縮径しようとするので、保持溝１４の上部内縁１４ｂと掛止爪２０の上縁２０ｄとの間に挟み込まれた線バネ１３は、傾斜する保持溝１４の上部内縁１４ｂに沿って下降しようとし、これにより、掛止爪２０の上縁２０ｄを下方に押圧する方向に付勢力が生じる。この付勢力により、第１突起１１の頂部に保護キャップ４の覆板１５が圧接され、バーナキャップ３に対して保護キャップ４の浮き上がりによるガタ付きが防止される。更に、保護キャップ４の足部材１６は、第１突起１１と第２突起１２との間に挟まれた状態にあるので、バーナキャップ３に対する保護キャップ４の回転も防止される。
【００３９】
なお、本実施形態のガスバーナ１においては、縮径方向に弾性を有する線バネ１３が第１突起１１の外側から保持溝１４内に装着されているものを示したが、それに限るものではなく、図示しないが、保持溝を突起の内側縁で解放するように形成し、拡径方向に弾性を有する線バネを保持溝に保持させ、足部材の掛止爪を外側に向けて突出させたものを採用することもできる。
【００４０】
また、第２突起１２は、全ての第１突起１１に隣り合って設けなくてもよく、少なくとも一つの第１突起１１に隣り合って設けるようにしてもよい。
【００４１】
また、本実施形態においては、一部不連続とされた略Ｃ字形状の線バネ１３を採用したが、それ以外の線バネとしては、図示しないが、一部不連続の環状であって不連続部分が重なり合った状態で外径が弾発的に縮径自在となるものや、連続する環状であって径方向に弾発的に撓むものを採用することができる。
【符号の説明】
【００４２】
１…ガスバーナ、３…バーナキャップ、４…保護キャップ、６…バーナヘッド、８…炎孔、１１…第１突起（突起）、１３…線バネ、１４…保持溝、１４ａ…奥端内縁、１４ｂ…上部内縁、１４ｃ…下部内縁、１４ｄ…傾斜縁部、１４ｅ…水平縁部、１５…覆板、１６…足部材（足部）、２０…掛止爪、２０ａ…下縁、２０ｄ…上縁。
【図１】
0005393633.tif 000002
【図２】
0005393633.tif 000003
【図３】
0005393633.tif 000004
【図４】
0005393633.tif 000005
【図５】
0005393633.tif 000006
【図６】
0005393633.tif 000007
【図７】
0005393633.tif 000008